(57)【要約】【課題】人や動物の温度をキーとしてシステムを動かしたり停止させたりすることを可能にする起動・受動システムを提供する。【解決手段】起動装置１０と、この起動装置１０により起動される受動装置２０とを具備する起動・受動システムであって、前記起動装置１０には、人または動物の熱を受けて発電する第１の熱発電素子１１と、前記第１の熱発電素子１１により発電された電力を受けて所定電圧へ昇圧する第１の微弱電圧昇圧ＩＣ１２と、この第１の微弱電圧昇圧ＩＣ１２の電圧により動作開始して起動信号を送信する第１の通信手段とが備えられる。前記受動装置２０には、前記起動信号を受信する第２の通信手段と、受信された前記起動信号に基づき予め定められた処理を行う処理部２４とが備えられている。【選択図】図２
2020045636.tif 000002
【特許請求の範囲】
【請求項１】
起動装置と、この起動装置により起動される受動装置とを具備する起動・受動システムであって、
前記起動装置には、人または動物の熱を受けて発電する第１の熱発電素子と、前記第１の熱発電素子により発電された電力を受けて所定電圧へ昇圧する第１の微弱電圧昇圧回路と、この第１の微弱電圧昇圧回路の電圧により動作開始して起動信号を送信する第１の通信手段とが備えられ、
前記受動装置には、前記起動信号を受信する第２の通信手段と、前記起動信号に基づき予め定められた処理を行う処理部とが備えられていることを特徴とする起動・受動システム。
【請求項２】
前記処理部には、出入口における開閉部の開閉をロック／アンロックするロック／アンロック機構と、このロック／アンロック機構のロック／アンロック状態を切換制御する切換制御手段とが備えられていることを特徴とする請求項１に記載の起動・受動システム。
【請求項３】
前記起動装置には、前記第１の通信手段による前記起動信号の送信を時刻情報に基づき許可する起動信号送信制御手段が備えられていることを特徴とする請求項１または２に記載の起動・受動システム。
【請求項４】
前記受動装置には、人または動物の熱を受けて発電する第２の熱発電素子と、前記第２の熱発電素子により発電された電力を受けて所定電圧へ昇圧する第２の微弱電圧昇圧回路とが備えられ、
前記第２の微弱電圧昇圧回路の電圧が前記切換制御手段へ指示信号を送る指示信号出力部の電源として用いられていることを特徴とする請求項２に記載の起動・受動システム。
【請求項５】
前記起動装置または前記受動装置の少なくとも一方には、認証を行う認証部が設けられ、この認証部の認証結果に基づき前記処理部の動作を許可・不許可することを特徴とする請求項１乃至４のいずれか１項に記載の起動・受動システム。
【請求項６】
前記受動装置には、第３の通信手段が備えられ、
前記第３の通信手段により予め定められた通信先へ処理部により処理を行ったことを送信することを特徴とする請求項５に記載の起動・受動システム。
【請求項７】
前記起動装置または前記受動装置には、生体情報を収集する生体情報収集手段が備えられ、
前記第１の通信手段または前記第２の通信手段から、前記生体情報を送信するようにしたことを特徴とする請求項１乃至６のいずれか１項に記載の起動・受動システム。
【請求項８】
前記起動装置には、前記第１の熱発電素子により発電された電力が前記第１の通信手段に供給されたときに、予め定められた処理を行う処理部が備えられていることを特徴とする請求項１乃至７のいずれか１項に記載の起動・受動システム。
【発明の詳細な説明】
【技術分野】
【０００１】
この発明は、起動装置と、この起動装置により起動される受動装置とを具備する起動・受動システムに関するものである。
【背景技術】
【０００２】
従来、何らセキュリティー対策がされていない出入口等においては、人の到来を温度や重量による圧力等により感知して開閉を行うようにしている。窓や扉などの開閉装置の場合には鍵を用いることで、外側からも内側からも開錠や施錠ができる。しかしながら、窓や扉の施錠のし忘れが発生すると、外部から容易に不審者に入られてしまう。機械式やカード式のカギの場合、盗難にあった際に、不正に開錠される恐れがある。
【０００３】
出入口に、手のひらや指紋による生体認証によるセキュリティー対策を施した場合には、精巧に作られた疑似指紋などによって不正認証される恐れがある。
【０００４】
更に、セキュリティシステムを導入した場合、未使用時の省電力化が重要であるが、こまめに電源オンオフ制御することは難しい。また、多く利用されている加速度センサ、近接センサで人の動作によって電源を起動するシステムは、容易に実現できるが、誤起動が発生しやすく省電力に課題がある。
【０００５】
また、人体近傍のエリアで行う近距離無線を用いたセキュリティシステムの場合では、誤った起動によって、気付かない間に不特定多数の人に通信が行われてしまう恐れがある。機械式のボタンを実装した場合は、電源のオンオフを行うためにユーザの手間がかかり、サイズやコスト面でも不利となる。
【０００６】
特許文献１には、スイッチオン時に流れる電流を抑制して、スイッチの開閉状態検出装置を備えた電子機器の低消費電力化を図ることが開示されている。この発明では、また、確実に検出電流を流すことにより検出精度の向上を図っている。
【０００７】
特許文献２には、ガラスエポキシ素材等の誘電体基板の表裏面に設けられる一対の第１、第２の電極間に外付けコイルを接続し、この外付けコイルを介して各電極にＩＣチップ４を接続してデータ送受信機を携帯型に構成することが開示されている。
【０００８】
更に、この特許文献２の発明では、高周波電力を発生する固定式データ送受信装置の電極をドアのノブ等に設定し、上記携帯式データ送受信機を携帯した人が、ノブ等の電極に触ると、上記ＩＣチップに起動電力が生じて上記ＩＣチップに記憶するデータが第２の送受信装置に伝送されるようにするというものである。
【０００９】
また、特許文献３には、外部受信機の電力消費を低減することができる送受信システムが開示されている。この発明では、起動スイッチ４ａがオン操作されると、ＩＣカード２ａに対する起動信号コードを読出して送信装置７及びアンテナコイル８を介して起動信号を送信するホルダ１のマイコン６が備えられている。また、ＩＣカード２ａのマイコン１１は、アンテナコイル１４及び受信装置１２を介して起動信号を受信し、通信装置１６側にＩＤコードを応答信号として送信する。
【００１０】
更に、上記特許文献３では、通信装置１６が、アンテナコイル２１及び受信装置１９を介して応答信号を受信し、受信した応答信号を予め記憶されたＩＤコードと照合して、両者が一致すると制御信号を処理装置２０に与える構成を採用している。そして、制御信号を与えられた処理装置２０は、ドアロックを解除するものである。
【先行技術文献】
【特許文献】
【００１１】
【特許文献１】特開２００３−２９８４０６号公報
【特許文献２】特開２００６−１００８６５号公報
【特許文献３】特開平９−２２４４９号公報
【発明の概要】
【発明が解決しようとする課題】
【００１２】
上記従来例では、消費電力の低減を図るものの、人や動物の温度により第１の装置から第２の装置を起動するようなシステムとはなっておらず、人や動物の温度をキーとしてシステムを動かしたり停止させたりすることは行われていない。
【００１３】
実施形態では、人や動物の温度をキーとしてシステムを動かしたり停止させたりすることを可能にする起動・受動システムを提供する。
【課題を解決するための手段】
【００１４】
本発明の実施形態に係る起動・受動システムは、起動装置と、この起動装置により起動される受動装置とを具備する起動・受動システムであって、前記起動装置には、人または動物の熱を受けて発電する第１の熱発電素子と、前記第１の熱発電素子により発電された電力を受けて所定電圧へ昇圧する第１の微弱電圧昇圧回路と、この第１の微弱電圧昇圧回路の電圧により動作開始して起動信号を送信する第１の通信手段とが備えられ、前記受動装置には、前記起動信号を受信する第２の通信手段と、前記起動信号に基づき予め定められた処理を行う処理部とが備えられていることを特徴とする。
【図面の簡単な説明】
【００１５】
【図１】本発明の第１の実施形態に係る起動・受動システムが適用される状況の概略構成を説明する図。
【図２】本発明の第１の実施形態に係る起動・受動システムの構成を示すブロック図。
【図３】本発明の第１の実施形態に係る起動・受動システムの起動装置による動作を示すフローチャート。
【図４】本発明の第１の実施形態に係る起動・受動システムの受動装置による動作を示すフローチャート。
【図５】本発明の第２の実施形態に係る起動・受動システムの構成を示すブロック図。
【図６】本発明の第３の実施形態に係る起動・受動システムが適用される状況の概略構成を説明する図。
【図７】本発明の第４の実施形態に係る起動・受動システムが適用される状況の概略構成を説明する図。
【図８】本発明の第４の実施形態に係る起動・受動システムの構成を示すブロック図。
【図９】本発明の第５の実施形態に係る起動・受動システムの構成を示すブロック図。
【図１０】本発明の第６の実施形態に係る起動・受動システムの構成を示すブロック図。
【発明を実施するための形態】
【００１６】
以下、添付図面を参照して本発明に係る起動・受動システムの実施形態を説明する。各図において、同一の構成要素には、同一の符号を付して重複する説明を省略する。図１に、第１の実施形態に係る起動・受動システムの起動装置１０と受動装置２０の配置構成図を示す。この実施形態では、家１００のドア１におけるドアノブ２とは異なる位置に、起動装置１０が設けられている。ドア１は、ヒンジ４によりドア枠３に結合されており、ヒンジ４が設けられたドア縦枠３Ａを中心に回転する。ドアノブ２に近いドア縦枠３Ｂの例えばやや上部側に受動装置２０が設けられている。本実施形態の起動・受動システムを通常のドア１の施錠として用いる場合には、起動装置１０と受動装置２０は、共に侵入者からは分らないように或いは見えないように取り付けられていることが望ましい。
【００１７】
第１の実施形態に係る起動・受動システムの機能ブロック図を図２に示す。起動装置１０には、第１の熱発電素子１１と、第１の微弱電圧昇圧ＩＣ１２と、第１の通信手段である送信部１３とを備える。第１の熱発電素子１１は、例えばペルチェ素子などにより構成されるもので、人または動物の熱を受けて発電する。ここでは、ドアノブ２とは異なるドア１の外面位置に第１の熱発電素子１１の加熱面が設けられ、人が加熱面に触れると冷却面との温度差に応じて電流が流れ、電圧を取り出すことができる。
【００１８】
第１の微弱電圧昇圧ＩＣ１２は、上記第１の熱発電素子１１により発電された電力を受けて所定電圧へ昇圧する微弱電圧昇圧回路の一例である。第１の微弱電圧昇圧ＩＣ１２は、電圧昇圧部１２Ｂと電圧制御部１２Ａとから構成され、電圧制御部１２Ａにおいて昇圧する電圧を設定し、この設定に基づいて電圧昇圧部１２Ｂが昇圧を行う。上記第１の熱発電素子１１により発電された電圧は４０ｍＶ以下であるのに対し、第１の微弱電圧昇圧ＩＣ１２により昇圧された後には１．０Ｖや５．０Ｖなど、通常の電子装置の電源電圧として用いることができる程度まで昇圧される。
【００１９】
第１の微弱電圧昇圧ＩＣ１２により昇圧された電圧は、送信部１３へ与えられる。送信部１３は、第１の微弱電圧昇圧ＩＣ１２の電圧により動作開始して起動信号を送信する。
【００２０】
受動装置２０には、第２の通信手段である受信部２１と、制御部２２と、ロック／アンロック機構２３とが設けられている。受信部２１は、上記送信部１３から送られた起動信号を受信するものである。制御部２２とロック／アンロック機構２３は、処理部２４を構成する。処理部２４は、受信された上記起動信号に基づき予め定められた処理を行うものである。
【００２１】
処理部２４に設けられているロック／アンロック機構２３は、出入口における開閉部の開閉をロック／アンロックする機構であり、ここではドア１が閉じた状態においてアンロックであり自由に開けたり閉めたりできるアンロック状態と、ロックし開けることができないロック状態を現出する。制御部２２は、ロック／アンロック機構２３のロック／アンロック状態を切換制御する切換制御手段として機能するものである。
【００２２】
本実施形態では、受動装置２０に、第２の熱発電素子２５と第２の微弱電圧昇圧ＩＣ２６が設けられている。第２の熱発電素子２５の加熱面は、受動装置２０が設けられている位置（ドア１の内側に相当するドア枠３Ｂの内側に設けられる。第２の熱発電素子２５は、第１の熱発電素子１１に等しく、第２の微弱電圧昇圧ＩＣ２６は第１の微弱電圧昇圧ＩＣ１２に等しいもので、微弱電圧昇圧回路の一例である。従って、第２の熱発電素子２５の加熱面に人が触れると冷却面との温度差に応じて電流が流れ、電圧を取り出すことができ、第２の微弱電圧昇圧ＩＣ２６で所定電圧まで昇圧され、指示信号出力部２７へ電源供給される。
【００２３】
指示信号出力部２７は、電圧の供給を受けると、制御部２２へ指示信号を与える。制御部２２は、上記指示信号を指示信号出力部２７から与えられると、ロック／アンロック機構２３がロック状態となるように制御を行う。また、受信部２１が受信した起動信号が制御部２２へ与えられると、ロック／アンロック機構２３がアンロック状態となるように制御を行う。
【００２４】
受動装置２０の受信部２１、制御部２２、ロック／アンロック機構２３など、指示信号出力部２７以外の動作電力は、電力供給部２８から供給されるものとすることができる。
【００２５】
以上のように構成された起動・受動システムにおいては、第１の熱発電素子１１の加熱面に人の手などが触れた場合には、図３に示すフローチャートに対応する動作が行われ、第２の熱発電素子２５の加熱面に人の手などが触れた場合には、図４に示すフローチャートに対応する動作が行われる。以下に、これらのフローチャートに従って動作の説明を行う。
【００２６】
第１の熱発電素子１１の加熱面に人の手などが触れると（Ｓ１１）、第１の熱発電素子１１による発電が行われ、第１の微弱電圧昇圧ＩＣ１２による電圧の昇圧が行われ（Ｓ１２）、送信部１３への電圧供給がなされる（Ｓ１３）。これにより、送信部１３からは起動信号が送信される（Ｓ１４）。次に起動信号は制御部２２が受け取り（Ｓ１５）、制御部２２がロック／アンロック機構２３を制御してアンロック状態を現出させる（Ｓ１６）。
【００２７】
他方、第２の熱発電素子２５の加熱面に人の手などが触れると（Ｓ２１）、第２の熱発電素子２５による発電が行われ、第２の微弱電圧昇圧ＩＣ２６による電圧の昇圧が行われ（Ｓ２２）、指示信号出力部２７への電圧供給がなされる（Ｓ２３）。これにより、指示信号出力部２７からは指示信号が出力される（Ｓ２４）。次に指示信号は制御部２２が受け取り（Ｓ２５）、制御部２２がロック／アンロック機構２３を制御してロック状態を現出させる（Ｓ２６）。
【００２８】
第２の実施形態の構成図を図５に示す。第２の実施形態では、起動装置１０Ａが認証部１４を有し、認証結果が適正であれば送信許可信号が送信部１３へ出力され、認証結果が不適正であれば送信不許可信号が送信部１３へ出力される。認証部１４は、起動信号に基づき予め定められた処理を行う処理部であり起動装置に設けられたものである。
【００２９】
認証部１４は、顔認証、指紋認証、静脈認証などどのような手法を採用するものであっても良い。認証部１４には、当該ドア１のアンロックを許可された人の比較情報が記憶されており、入力された情報との比較を行い、認証結果を出力する。本実施形態の構成によれば、起動装置１０における第１の熱発電素子１１の加熱面に第３者の手などが触れたとしても、ロックが解除されことなく、不正な侵入を防ぐことができる。
【００３０】
この実施形態では、起動装置１０Ａに認証部１４を設けたが、受動装置２０に認証部１４と同じ認証部を設けても良い。このような構成によれば、ドア１のロックについても不正者によって行われることが無く安全である。更に、受動装置２０には、通信部を制御部２２に接続して、予め登録された電話番号へ或いはメールアドレスの通信先装置（例えば、警備会社等）へロック／アンロックが生じた（処理部により処理を行ったこと）ことを報知しても良い。このようにすると、よりセキュリティーの強化を図ることができる。
【００３１】
図６には、第３の実施形態を示す概略図が示されている。この図は、動物飼育用の檻の出入口部を示している。起動装置１０と受動装置２０の構成は図２に示した第１の実施形態のものに基本的に等しい。この起動・受動システムの起動装置１０における第１の熱発電素子１１が檻内のゲート或いは柵３１の前の床３２に設置される。また、ロック／アンロック機構２３は、ゲート或いは柵３１の所定部位に設けられる。また、ロック／アンロック機構２３には、自動ドアの開放機構及び閉成機構も含まれている。更に、受動装置２０のロック／アンロック機構以外は、例えば檻内ではなく、管理室などに設けられていることが望ましい。
【００３２】
上記第３の実施形態の起動・受動システムによれば、動物が床３２の部分に乗ると、第１の熱発電素子１１の加熱面に熱体が触れ、第１の熱発電素子１１による発電が行われ、第１の微弱電圧昇圧ＩＣ１２による電圧の昇圧が行われ、送信部１３への電圧供給がなされ、送信部１３からは起動信号が送信される。
【００３３】
起動信号は受動装置２０の受信部２１を介して制御部２２が受け取り、制御部２２がロック／アンロック機構２３を制御してアンロック状態を現出させ、自動ドアの開放機構によりゲート或いは柵３１が自動で開き、動物は外の外気飼育エリアに出ることができる。
【００３４】
監視カメラなどで動物を監視し、ゲート或いは柵３１から室内へ全ての動物が移動した後には、第２の熱発電素子２５の加熱面に飼育員などの人の手などが触れると、既に説明した通り、制御部２２がロック／アンロック機構２３を制御し、自動ドアの閉成機構によりゲート或いは柵３１が自動で閉じられ、ロック／アンロック機構２３を制御してロック状態を現出される。
【００３５】
このように、本第３の実施形態によれば、動物の飼育を安全に適切にすることができる。受動装置２０には、前述の通り、認証部を設けて権限ある者による制御だけが可能とし、通信部を設けて予め登録された電話番号へ或いはメールアドレスへロック／アンロックが生じたことを報知しても良い。これにより二重に管理を強化することができる。
【００３６】
起動装置１０には、上記第１の通信手段である送信部１３による起動信号の送信を時刻情報に基づき許可する起動信号送信制御手段が備えられていても良い。このようにすると、不適切な時間に不用意にゲート或いは柵３１が開き、動物が外の外気飼育エリアに出るという事態を防止することが可能である。
【００３７】
次に第４の実施形態を説明する。図７に示すように、例えば、手すりやレバーなどのように人が手で握り易い手握部品４１が設けられた機器４０に起動装置１０Ｂが備えられ、第２の熱発電素子１１が上記手握部品４１の表面に設けられている。受動装置２０Ｂは、人Ｐが携帯する携帯端末によって構成される。
【００３８】
起動装置１０Ｂと受動装置２０Ｂの内部構成は、図８に示されるようである。起動装置１０Ｂの構成は、第１の実施形態の起動装置１０の構成に加えて、送信メッセージ記憶部１５を有する処理部１６が設けられている。この処理部１６は、第１の熱発電素子１１により発電された電力が上記第１の通信手段である送信部１３に供給されたときに、予め定められた処理を行うものである。
【００３９】
処理部１６が備えている送信メッセージ記憶部１５には、受動装置２０Ｂへ送信して表示させるメッセージが記憶される。送信メッセージ記憶部１５への記憶はパーソナルコンピュータを接続する等して行うことができ、送信メッセージ記憶部１５から送信部１３への出力は、送信メッセージ記憶部１５がコントローラ機能を持つものとすることにより実現可能である。送信メッセージ記憶部１５に記憶されるメッセージの内容には、特に限定はないが、職場などに用いるならば本日の予定や伝達事項などを挙げることができる。
【００４０】
受動装置２０Ｂは、第１の実施形態と同様の受信部２１と、第１の実施形態には備えられていない処理部５１が設けられている。処理部５１は、スマートフォンやＰＤＡ（パーソナルディジタルアシスタント）などの携帯端末主要部構成５２を有することができ、表示部５３を備える。
【００４１】
このように構成された第４の実施形態では、通信方式はＢＡＮ（Body Area Network）とすることができ、手握部品４１を握るなどした人の身体を介して起動装置１０Ｂから受動装置２０Ｂへ送信がなされる。
【００４２】
以上の構成の起動・受動システムでは、人が手握部品４１を握るなどした場合には、第１の熱発電素子１１による発電が行われ、第１の微弱電圧昇圧ＩＣ１２による電圧の昇圧が行われ、送信部１３への電圧供給がなされる。そこで、送信メッセージ記憶部１５に記憶されているメッセージが送信メッセージ記憶部１５から送信部１３へ出力される。送信部１３からは起動信号と共に送信メッセージ記憶部１５から出力されたメッセージが送信される。送信メッセージ記憶部１５の電力は、第１の熱発電素子１１による発電に基づく電力以外に別に設けられた電源から供給するようにしても良い。
【００４３】
起動信号及びメッセージは受信部２１により受け取られ、携帯端末主要部構成５２へ送られる。携帯端末主要部構成５２はメッセージを表示データとして表示部５３へ送ってメッセージの表示を行う。メッセージは携帯端末主要部構成５２に保存しておき、必要なときに携帯端末主要部構成５２へ指示を与えて表示部５３に表示するようにしても良い。
【００４４】
図９に、第５の実施形態の起動・受動システムの構成図を示す。本実施形態の起動装置１０Ｃは、第４の実施形態の起動装置１０Ｂに対し、処理部１６に代えて処理部１６Ａが設けられている点が異なり、その他は同様の構成である。処理部１６Ａには、生体情報収集手段１８、記憶手段１９が設けられている。生体情報収集手段１８は、生体情報を収集するもので、例えば、体温、心拍数、心電図信号などを収集する。収集する電極やセンサに該当する構成は起動装置１０Ｃの外部に設けても良い。収集は適宜な時刻行われ、収集したデータはこのユーザＩＤ共に記憶手段１９に記憶される。また、起動装置１０Ｃは、ユーザが携帯するか腕に巻かれるなどのウエアラブルな状態とできる構成を有する。更に、第１の熱発電素子１１の加熱面は、起動装置１０Ｃの表面などに通常はユーザの身体に触れない側（通常状態で、第１の熱発電素子１１による発電が生じない位置）に設けられる。
【００４５】
受動装置２０Ｃは、第４の実施形態と同様の構成を有するが、処理部５１に代えて処理部５１Ａが設けられている。処理部５１Ａは、パーソナルコンピュータ程度のコンピュータ部５５を主要構成とすることができ、少なくとも表示部５３を備える。受動装置２０Ｃは、職場などの健康管理部や、病院内のナースセンタなど、地域の健康管理センタに配置することができる。
【００４６】
この構成によれば、生体情報収集手段１８が所定時刻などに生体情報を収取し、記憶手段１９に記憶している。起動装置１０Ｃのユーザは、適宜なときに第１の熱発電素子１１の加熱面に手を触れるなどしてこの面の温度を高める。第１の熱発電素子１１の加熱面が加熱されると、第１の熱発電素子１１による発電が行われ、第１の微弱電圧昇圧ＩＣ１２による電圧の昇圧が行われ、送信部１３への電圧供給がなされる。そこで、記憶手段１９に記憶されている生体情報がユーザＩＤと共に送信部１３へ出力される。
【００４７】
送信部１３からは起動信号と共に生体情報が送信される。生体情報収集手段１８や記憶手段１９の電力は、第１の熱発電素子１１による発電に基づく電力以外に別に設けられた電源から供給するようにしても良い。
【００４８】
起動信号及びユーザＩＤを含む生体情報は受信部２１により受け取られ、コンピュータ部５５へ送られる。コンピュータ部５５は、ユーザＩＤを含む生体情報を保存しておき、必要なときの指示に応えて表示部５３に表示する。コンピュータ部５５はユーザＩＤを含む生体情報を受け取ったときに、表示データとして表示部５３へ送って生体情報の表示を行うようにしても良い。
【００４９】
上記では起動装置１０Ｃにおいて生体情報を収集したが、図１０に示される第６の実施形態のように構成することができる。即ち、第６の実施形態は、起動装置１０Ｄと受動装置２０Ｄにより構成される。起動装置１０Ｄには、起動装置１０Ｃに送信部１３に代えて送受信部１３Ａが設けられ、処理部１６Ａに代えて処理部１６Ｂが設けられる。この第６の実施形態では、受動装置２０Ｄにおいて生体情報を収集し、起動装置１０Ｄにおいて生体情報の送信要求を受動装置２０Ｄへ送り、受動装置２０Ｄから生体情報を集める構成とすることができる。
【００５０】
受動装置２０Ｄでは、第２の通信手段として送受信部２１Ａが設けられる。動装置２０Ｄには、生体情報収集手段５７、記憶手段５６を有する処理部５１Ｂが設けられている。起動装置１０Ｄの処理部１６Ｂには、コンピュータ部６１と、少なくとも表示部６２が備えられる。この構成では、生体情報収集手段５７が所定時刻などに生体情報を収集しユーザＩＤと共に、記憶手段５６に記憶している。
【００５１】
起動装置１０Ｄのユーザは適宜なときに第１の熱発電素子１１の加熱面に手を触れるなどして、第１の熱発電素子１１の加熱面が加熱されると、第１の熱発電素子１１による発電が行われ、第１の微弱電圧昇圧ＩＣ１２による電圧の昇圧が行われ、送受信部１３Ａへの電圧供給がなされる。これにより送受信部１３Ａからは起動信号が送信され、受動装置２０Ｄの送受信部２１Ａが受け取る。
【００５２】
送受信部２１Ａにおいて、起動信号は生体情報の送信要求として解釈される。送受信部２１Ａは、記憶手段５６に記憶された生体情報をユーザＩＤと共に読み出し送信する。この生体情報はユーザＩＤと共に、起動装置１０Ｄの送受信部１３Ａが受け取り、コンピュータ部６１へ送る。コンピュータ部６１は、ユーザＩＤを含む生体情報を保存しておき、必要なときの指示に応えて表示部６２に表示する。コンピュータ部６１はユーザＩＤを含む生体情報を受け取ったときに、表示データとして表示部６２へ送って生体情報の表示を行うようにしても良い。
【００５３】
以上のようにして受動装置２０Ｄにおいて収集してある生体情報等の情報を、受動装置２０Ｄの利用者の手を煩わせることなく、起動装置１０Ｄ側の主導で的確に入手することができる。なお、第５の実施形態と第６の実施形態において、起動装置と受動装置に認証部も設けることは適宜なされても良い。また、受動装置に、予め登録された電話番号へ或いはメールアドレスの通信先装置へ、処理部の処理がなされた旨の通知を行うようにしても良い。
【００５４】
また、以上において、起動装置または受動装置が、熱発電素子により発電した電力による電源で動作するように構成された実施形態では、熱発電素子により発電した電力を受けて起動したときに行う通信等の動作については、この熱発電素子による発電電力を用いるようにし、この起動時以外の動作を行う構成要素に対しては、熱発電素子に基づく電源以外の別電源を設けて動作させるようにすることができる。
【００５５】
本発明は、街路やビルや大きな家の階段等の照明システムの実施形態を構成することができる。第１の熱発電素子と第１の微弱電圧昇圧回路と第１の通信手段を電柱や橋脚の手摺り或いは特別に設けた標識等に設ける。受動装置は１または複数の照明灯等である。人が第１の熱発電素子に触れると、受動装置の第２の通信手段が起動信号を受信し、この起動信号に基づき予め定められた処理を行う処理部が照明灯を点灯する。受動装置には、点灯時間を所定時間とするタイマが設けられていても良い。これにより、防犯と共に節電が期待される。
【００５６】
本発明は、家や建物等の侵入検出システムの実施形態を構成することができる。第１の熱発電素子と第１の微弱電圧昇圧回路と第１の通信手段を塀や門や屋根の際等のように、侵入者が侵入する場合に手や体等を付けるであろう位置に設ける。受動装置はアラームの発生、警備会社への通報、照明器の点灯や監視カメラの撮像開始等を行う装置である。人が第１の熱発電素子に触れると、受動装置の第２の通信手段が起動信号を受信し、この起動信号に基づき予め定められた処理を行う処理部がアラームの発生、警備会社への通報、照明器の点灯や監視カメラの撮像開始を実行する。監視カメラにより撮像した映像は、受動装置において保存するか警備会社へ送信するかの少なくとも一方を行うことができる。これにより、防犯と共に節電が期待される。
【符号の説明】
【００５７】
１０、１０Ａ、１０Ｂ、１０Ｃ、１０Ｄ  起動装置
１１  第１の熱発電素子
１２Ａ  電圧制御部
１２Ｂ  電圧昇圧部
１３  送信部
１３Ａ  送受信部
１４  認証部
１５  送信メッセージ記憶部
１６、１６Ａ、１６Ｂ  処理部
１８  生体情報収集手段
１９  記憶手段
２０、２０Ｂ、２０Ｃ、２０Ｄ  受動装置
２１  受信部
２１Ａ  送受信部
２２  制御部
２３  ロック／アンロック機構
２４  処理部
２５  第２の熱発電素子
２６Ａ  電圧制御部
２６Ｂ  電圧昇圧部
２７  指示信号出力部
２８  電力供給部
５１、５１Ｂ  処理部
５２  携帯端末主要部構成
５３  表示部
５５  コンピュータ部
５６  記憶手段
５７  生体情報収集手段
６１  コンピュータ部
６２  表示部
【図１】
2020045636.tif 000003
【図２】
2020045636.tif 000004
【図３】
2020045636.tif 000005
【図４】
2020045636.tif 000006
【図５】
2020045636.tif 000007
【図６】
2020045636.tif 000008
【図７】
2020045636.tif 000009
【図８】
2020045636.tif 000010
【図９】
2020045636.tif 000011
【図１０】
2020045636.tif 000012